(57)【要約】 【課題】  両コネクタハウジングの嵌合時におけるムービングプレートの傾きを規制する。【解決手段】  ムービングプレート３０は、略長方形の基底部３８とその周縁部から突出形成された周壁３２とから構成されており、基底部３８の短辺側を含む周壁３２の両外側面には、周壁３２の上端縁から上下方向における全長に亘ってがた詰め用の突部３７が形成されている。がた詰め用の突部３７は、周壁３２とフード部１１の間のクリアランスよりも大きめの高さ寸法が設定されるとともに、レバーを用いた倍力機構を導入することで、両コネクタハウジングの嵌合時におけるムービングプレートの傾きを抑制し、円滑な嵌合作業を実現している。【選択図】  図１
2006196225.tif 000002
【特許請求の範囲】
【請求項１】
フード部を有する雄側コネクタハウジングと、前記フード部に嵌合される雌側コネクタハウジングと、前記フード部内において雄端子金具を位置決めするムービングプレートとを備え、前記雄側コネクタハウジングと前記雌側コネクタハウジングの嵌合時において前記雌側コネクタハウジングが前記ムービングプレートと一体になって前記フード部奥方に移動するようにしたコネクタにおいて、
前記ムービングプレートの外周面と前記フード部の内周面が対向する面の少なくともいずれか一方には、がた詰め用の突部が対称位置に設けられ、かつ相手側に向けられていることを特徴とするコネクタ。
【請求項２】
前記ムービングプレートの外周面に、前記フード部の内周面に沿って延びる周壁が形成されているとともに、前記ムービングプレートの周壁に、前記がた詰め用の突部が前記ムービングプレートの移動方向に沿って形成されていることを特徴とする請求項１記載のコネクタ。
【請求項３】
前記雄側コネクタハウジングは、前記フード部の開口端側から切り欠かれた逃がし溝が形成され、その逃がし溝に前記ムービングプレートの周壁に形成されたカムピンが嵌合された状態とされるとともに、前記両コネクタハウジングの嵌合時に、前記雌側コネクタハウジングのカムピンは前記逃がし溝を通過して前記ムービングプレートのカムピンと合体してカムフォロアを形成し、また、雄側コネクタハウジングの外面に軸支されるレバーを備え、前記カムフォロアを前記レバーのカム溝に係合させた状態で前記レバーを回動させることにより、前記雌側コネクタハウジングが前記ムービングプレートと一体になって移動しつつ前記雄側コネクタハウジングに嵌合されるようにしたレバー式コネクタであることを特徴とする請求項２記載のコネクタ。
【請求項４】
前記ムービングプレートは略長方形とされ、前記がた詰め用の突部が前記周壁のうち前記ムービングプレートの短辺側に設けられているとともに、前記カムピンが前記周壁のうち前記ムービングプレートの長辺側に設けられていることを特徴とする請求項２または請求項３記載のコネクタ。
【請求項５】
前記がた詰め用の突部の高さは、前記フード部の内周面にくい込むような寸法設定となっていることを特徴とする請求項１ないし請求項４記載のコネクタ。
【発明の詳細な説明】
【技術分野】
【０００１】
本発明は、コネクタに関する。
【背景技術】
【０００２】
多極のコネクタでは、雄端子金具のタブの保護と位置決めのために、タブを貫通させた状態で移動するムービングプレートを雄側コネクタハウジングに設ける手段が採用されている。この手段を採用したコネクタとして、下記特許文献１に開示されているもの等がある。
【特許文献１】特開平５−７４５１７号公報
【発明の開示】
【発明が解決しようとする課題】
【０００３】
従来のムービングプレートは、雄側コネクタハウジングのフード部内に嵌め入れる際の作業性を考慮してフード部との間に所定のクリアランスが設けられている一方で、クリアランスを設けることによる弊害として、ムービングプレートが傾きやすくなり、動作の円滑性を低下させる。そこで、全周においてクリアランスを小さくする対策も考えられるが、クリアランスの設定は作業性と円滑性が両立する範囲に限定される。本発明は上記のような事情に基づいて完成されたものであって、ムービングプレートの傾きを規制しつつ作業性を確保することを目的とする。
【課題を解決するための手段】
【０００４】
上記の目的を達成するための手段として、請求項１の発明は、フード部を有する雄側コネクタハウジングと、前記フード部に嵌合される雌側コネクタハウジングと、前記フード部内において雄端子金具を位置決めするムービングプレートとを備え、前記雄側コネクタハウジングと前記雌側コネクタハウジングの嵌合時において前記雌側コネクタハウジングが前記ムービングプレートと一体になって前記フード部奥方に移動するようにしたコネクタにおいて、前記ムービングプレートの外周面と前記フード部の内周面が対向する面の少なくともいずれか一方には、がた詰め用の突部が対称位置に設けられ、かつ相手側に向けられている構成としたところに特徴を有する。
【０００５】
請求項２の発明は、請求項１に記載のものにおいて、前記ムービングプレートの外周面に、前記フード部の内周面に沿って延びる周壁が形成されているとともに、前記ムービングプレートの周壁に、前記がた詰め用の突部が前記ムービングプレートの移動方向に沿って形成されているところに特徴を有する。
【０００６】
請求項３の発明は、請求項１または請求項２に記載のものにおいて、前記雄側コネクタハウジングは、前記フード部の開口端側から切り欠かれた逃がし溝が形成され、その逃がし溝に前記ムービングプレートの周壁に形成されたカムピンが嵌合された状態とされるとともに、前記両コネクタハウジングの嵌合時に、前記雌側コネクタハウジングのカムピンは前記逃がし溝を通過して前記ムービングプレートのカムピンと合体してカムフォロアを形成し、また、雄側コネクタハウジングの外面に軸支されるレバーを備え、前記カムフォロアを前記レバーのカム溝に係合させた状態で前記レバーを回動させることにより、前記雌側コネクタハウジングが前記ムービングプレートと一体になって移動しつつ前記雄側コネクタハウジングに嵌合されるようにしたレバー式コネクタであるところに特徴を有する。
【０００７】
請求項４の発明は、請求項１ないし請求項３のいずれかに記載のものにおいて、前記ムービングプレートは略長方形とされ、前記がた詰め用の突部が前記周壁のうち前記ムービングプレートの短辺側に設けられているとともに、前記カムピンが前記周壁のうち前記ムービングプレートの長辺側に設けられているところに特徴を有する。
【０００８】
請求項５の発明は、請求項１ないし請求項４のいずれかに記載のものにおいて、前記がた詰め用の突部の高さは、前記フード部の内周面にくい込むような寸法設定となっているところに特徴を有する。
【発明の効果】
【０００９】
＜請求項１の発明＞
がた詰め用の突部によって、クリアランスに起因するムービングプレートの傾きが規制されている。さらに、ムービングプレートとフード部の接触点は、がた詰め用の突部に限られているため、相手側との接触抵抗が低く抑えられ、作業性の低下が回避されている。
【００１０】
＜請求項２の発明＞
ムービングプレートは、その外周面からフード部の内周面に沿って延びる周壁が形成されているから、傾きがより規制されやすくなり、安定してフード部の奥方に移動可能となっている。
【００１１】
＜請求項３の発明＞
がた詰め用突部を形成したことに伴って摺接抵抗が増加するが、レバーという倍力機構を用いることによって、作業上の負担増加分を軽減している。
【００１２】
＜請求項４の発明＞
がた詰め用の突部は、仮にムービングプレートがカムピンを回転軸として揺動軌跡を描いたとしても、最も揺動変位が大きくなることが予想される短辺側に設けられていることから、効率よく傾きを規制可能としている。
【００１３】
＜請求項５の発明＞
がた詰め用の突部の高さは、フード部の内周面にくい込むような寸法設定となっているため、ムービングプレートの傾きを確実に規制することができる。
【発明を実施するための最良の形態】
【００１４】
＜実施形態１＞
本発明の実施形態１を図１ないし図１１によって説明する。  
本実施形態のレバー式コネクタの雄側コネクタハウジング１０は、図１に示すように、上方に開口する略長方形のフード部１１を有し、その下面には電線カバー１５が嵌着されている。このフード部１１内には雄端子金具１２の雄タブ１２Ａが上向きに突出されるようになっており、雄タブ１２Ａを貫通させた状態で上下方向（両ハウジング１０，４０の嵌合方向）への移動を可能とされたムービングプレート３０が収容されている。雄側コネクタハウジング１０の外側面のうちフード部１１の長辺側に相当する両外側面には、一対の軸部１３がそれぞれ突出形成され、かつこれらの面には、図７に示すように、その上端縁から軸部１３に向かって上下方向に直線状に切り欠かれた一対の逃がし溝１４が形成されている。この逃がし溝１４は、後述するカムフォロア４３をフード部１１の内側から外側へ突出させるために設けられている。
【００１５】
雌側コネクタハウジング４０は、雄コネクタハウジング１０に嵌合可能に形成され、内部には雄端子金具１２と接続可能な雌端子金具４５が収容されている。また、雌側コネクタハウジング４０の上面には、電線カバー４１が嵌着され、雌端子金具４５に接続された電線の引き出し方向を規定している。この雌側コネクタハウジング４０の側面における幅方向中央部分には、図８に示すように、段差部４６が周辺部分より一段高くなるように形成されている。また、段差部４６における中央下部には、一対のカムピン４２が略小判状断面の柱状をなして突出形成されている。
【００１６】
レバー２０は、一対の板状のアーム部２２の先端を操作部２１で連結した形状をなし、アーム部２２の基端部には軸受け孔２３が形成され、アーム部２２の内面には軸受け孔２３を取り囲むようなカム溝２４が形成されている。かかるレバー２０は、その軸受け孔２３を雄側コネクタハウジング１０の軸部１３に嵌合することで、回動可能に支持され、嵌合開始位置（図９に示す）と嵌合完了位置（図１０に示す）との間で回動可能とされ、かつ両位置で解除可能にロックされるようにされている。カム溝２４は、レバー２０が嵌合開始位置に保持されている状態では、カム溝２４の入り口２５が、カムピン３３およびカムピン４２を進入させるために上方へ開口されるようになっている。また、カム溝２４は、嵌合開始位置から嵌合完了位置への回動方向と反対方向（時計回り方向）に、カムピン３３が進入可能な延長領域２４Ｃが形成されており、その端部においてレバーを組み付け可能としている。すなわち、レバー２０を組み付け可能とする位置では、軸部１３と軸受け孔２３の形状は整合して、軸部１３を軸受け孔２３へ嵌め入れ可能とするが、嵌合開始位置と嵌合完了位置との間では軸部１３と軸受け孔２３とが不整合となって、レバー２０を外れ止め状態に保持する。なお、レバー２０を組み付け可能とする位置においては、レバー２０を延長領域２４Ｃ側へ回動させることで、レバー２０の先端部分が雄側コネクタハウジング１０の外側面から突出した状態となるのを回避可能としている。
【００１７】
ムービングプレート３０は、複数の位置決め孔３１に雄タブ１２Ａを貫通させることにより、フード部１１内において雄タブ１２Ａを位置決めするためのものである。ムービングプレート３０は、位置決め孔３１を配する略長方形の基底部３８と、その周縁部から全周に亘り、かつ上方に向けて突出形成された周壁３２とから構成されている。周壁３２は、その全外周面がフード部１１の内面に沿うようにして形成されている。周壁３２のうち逃がし溝１４と対応する位置には、外方に膨出した膨出部３９となっており、その逃がし溝１４に対して移動可能に嵌合している。また、膨出部３９の幅方向両端縁部には全高さ範囲に亘って、挟持縁３９Ａが張り出し形成されていて（図４および図１１参照）、周壁３２と両挟持縁３９Ａとの間に逃がし溝１４の開口縁部１４Ａを挟持することで、ムービングプレート３０の動作を案内するようにされている。
【００１８】
膨出部３９の幅方向中央部には、導入溝３５が形成されている。すなわち、導入溝３５は、膨出部３９の上端縁に開口しつつ上下方向に沿って設けられ、雌側コネクタハウジング４０のカムピン４２を受け入れ可能に形成されている。導入溝３５の下部には、カムピン３３が導入溝３５を跨ぐようにして突出形成されている。このカムピン３３は、図４に示すようにコの字形状をなしており、その内側は、カムピン４２を嵌合可能な嵌合凹部３４とされている。カムピン３３は、嵌合凹部３４内にカムピン４２が入ってきたときに、両コネクタハウジング１０，４０の嵌合開始から嵌合完了に至るまでの間、一体化されてカムフォロア４３を形成する。かくして、カムフォロア４３がカム溝２４に導入された後、レバー２０を回動操作し、嵌合完了位置に至らしめると、この間カムフォロア４３は、カム溝２４内をカム作用を受けつつ移動し、両コネクタハウジング１０，４０を正規嵌合状態にさせる。このとき、雌側コネクタハウジング４０の段差部４６は、膨出部３９の内側面に沿うようにして嵌合するようになっている。また、膨出部３９の幅方向両側には、周壁３２の上下方向における全長に亘って、断面長方形のガイド突部３６が形成されている。ガイド突部３６は、図４に示すように、片側一対ずつ設けられている。そして、対をなすもの同士の間隔は、相互に異ならせてあり、このことにより、ムービングプレート３０が雄側コネクタハウジング１０に対して、左右反転等、誤組み付けを防止することができる。
【００１９】
一方、基底部３８の短辺側を含む周壁３２の両外側面には、図６に示すように、断面略半円形の柱状をなすがた詰め用の突部３７が、周壁３２の上下方向における全長に亘って、かつ所定の間隔をおいて、それぞれ２箇所ずつ形成されている。がた詰め用の突部３７は、その高さがフード部１１と周壁３２との間に設けられたクリアランスよりも大きめの寸法設定とされている。これにより、がた詰め用の突部３７は、フード部１１の内側面に対し、全長に亘って圧接可能となっている。
【００２０】
次に、本実施形態の作用について説明する。  
雄側コネクタハウジング１０は、レバー２０とムービングプレート３０と電線カバー１５とが組み付けられた状態で、両コネクタハウジング１０，４０の嵌め合いを行う。雌側コネクタハウジング４０をフード部１１内に浅く勘合させると、カムピン４２が逃がし溝１４と導入溝３５を通過して、カムピン３３と一体化されてカムフォロア４３を形成する。雌側コネクタハウジング４０は、この状態でレバー２０を回動操作させると、フード部１１内に引き込まれる。両コネクタハウジング１０，４０は、レバー２０が嵌合完了位置に至ると、正規嵌合状態となる。
【００２１】
この間、ムービングプレート３０は、ガイド突部３６と受け部１６との嵌め合いおよび逃がし溝１４の開口縁部１４Ａが狭持縁３９Ａによって挟みつけられることで、移動の案内がされることになる。しかも、ムービングプレート３０の周壁３２とフード部１１の間には、がた詰め用の突部３７がフード部１１の内面と摺接したまま移動するから、ムービングプレート３０が傾いた状態のまま移動することが規制される。また、がた詰め用の突部３７の高さ寸法が、ムービングプレート３０の周壁３２とフード部１１の間のクリアランスよりも大きめに設定されているため、摺接抵抗が増加し、作業上の負担も増大することが懸念される。なお、このような大きめの寸法設定とされているのは、ムービングプレート３０がフード部１１の成型誤差あるいは組み付け誤差を見込んだものである。しかし、このオーバーラップの設定に伴う摺接抵抗の増大ひいては作業上の負担増は、レバー２０を用いた倍力機構によって解消されている。
【００２２】
このようにして、レバー２０が嵌合完了位置に達すると、レバー２０は、雌側コネクタハウジング４０の電線カバー４１の突起４４に係止することで、嵌合完了位置に解除可能にロックされる。  
以上のように、本実施形態においては、ムービングプレート３０の周壁３２にがた詰め用突部３７を設けたから、クリアランスに起因するムービングプレート３０のがた付きが規制可能となっている。また、ムービングプレート３０とフード部１１の接触点は、がた詰め用の突部３７に限られているため、相手側との接触抵抗が低く抑えられ、作業性の低下が回避されている。さらにムービングプレート３０の傾き規制を確実ならしめるため、がた詰め用の突部３７の高さ寸法を、周壁３２とフード部１１の間のクリアランスより大きめに設定しているが、この設定に伴う嵌合抵抗の増加は、レバー２０による倍力機構の導入により回避される。加えて、がた詰め用の突部３７は、仮にムービングプレート３０がカムピン３３を回転軸として揺動軌跡を描いたとしても、最も揺動変位が大きくなることが予想される短辺側に設けられていることから、効率よく傾きを規制可能としている。
【００２３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２４】
（１）実施形態１では、がた詰め用の突部が、ムービングプレート側に設けられているものを例示したが、フード部側に設けられたものとしてもよい。
【００２５】
（２）実施形態１では、がた詰め用の突部が、基底部の短辺側を含む周壁の両外側面に設けられたものを例示したが、基底部の長辺側を含む周壁の両外側面に設けられたものとしてもよい。
【００２６】
（３）実施形態１では、がた詰め用の突部が、断面略半円形状のものを例示したが、接触面積を低く抑えることができれば他の形態でもよく、例えば、断面略三角形としてもよい。
【００２７】
（４）実施形態１では、がた詰め用の突部を周壁の全長に亘って設けたが、部分的に形成したものでもよい。
【図面の簡単な説明】
【００２８】
【図１】本実施形態におけるレバー式コネクタの嵌合前における斜視図
【図２】レバーが嵌合開始位置にある状態の断面図
【図３】レバーが嵌合完了位置にある状態の断面図
【図４】ムービングプレートの平面図
【図５】その側面図
【図６】その正面図
【図７】雄側コネクタハウジングの側面図
【図８】雌側コネクタハウジングの側面図
【図９】レバーが嵌合開始位置にある状態の一部切り欠き側面図
【図１０】レバーが嵌合完了位置にある状態の一部切り欠き側面図
【図１１】ムービングプレートを雄側コネクタハウジングに取り付けた状態における平面図
【符号の説明】
【００２９】
１０…雄側コネクタハウジング
１１…フード部
１２…雄端子金具
１４…逃がし溝
２０…レバー
３０…ムービングプレート
３１…位置決め孔
３２…周壁
３３…カムピン
３７…がた詰め用の突部
４０…雌側コネクタハウジング
４２…カムピン
４３…カムフォロア
【図１】
2006196225.tif 000003
【図２】
2006196225.tif 000004
【図３】
2006196225.tif 000005
【図４】
2006196225.tif 000006
【図５】
2006196225.tif 000007
【図６】
2006196225.tif 000008
【図７】
2006196225.tif 000009
【図８】
2006196225.tif 000010
【図９】
2006196225.tif 000011
【図１０】
2006196225.tif 000012
【図１１】
2006196225.tif 000013